(57)【要約】【課題】  ボトルキャップの締め付けを確実に行うことができる自然気化式加湿具を提供する。【解決手段】  貯水ケース2と、給水ボトル3と、加湿エレメント4とを備え、給水ボトル3は、ボトル本体31とボトル本体31の開口部32に被せられるボトルキャップ5とからなり、貯水ケース2の底板20の上面に、ボトルキャップ5が嵌まってボトル本体31を起立状態で保持する保持筒23を設け、保持筒23にスリット23cを形成し、スリット23cに嵌る係合突部52をボトルキャップ5の外面に設け、このボトルキャップ5に、保持筒23のスリット23cに対して連通する連通部54aを設け、加湿エレメント4の下部を貯水ケース2に貯水された水に浸して、水を加湿エレメント4から蒸散させる自然気化式加湿具１であって、ボトルキャップ5に周方向に連続する連続部50cを設け、連続部50cにより、ボトルキャップ5を、ボトル本体31に螺合させる際に、ボトルキャップ5の空回りを防止した。【選択図】    図３
2019178799.tif 000002
【特許請求の範囲】
【請求項１】
底板の周囲に立ち上がり壁を有する上面が開口する貯水ケースと、
前記貯水ケースに対して着脱可能に設けられる給水ボトルと、
吸水性を有する加湿エレメントとを備え、
前記給水ボトルは、ボトル本体とボトル本体の開口部に被せられるボトルキャップとからなり、ボトルキャップの内面とボトル本体の開口部の外面には互いに螺合するねじ山部が形成され、
前記貯水ケースの底板の上面に、前記ボトル本体の開口部を下に向けた状態で、前記ボトルキャップが嵌まって前記ボトル本体を起立状態で保持する保持筒を設け、
この保持筒に上下方向にスリットを形成し、このスリットに嵌る係合突部を前記ボトルキャップの外面に設け、
前記ボトルキャップに、前記保持筒のスリットに対して連通する連通部を設け、
前記加湿エレメントの下部を前記貯水ケースに貯水された水に浸して、加湿エレメントによって吸い上げた水を加湿エレメントから蒸散させる自然気化式加湿具であって、
前記ボトルキャップに周方向に連続する連続部を設け、この連続部により、前記ボトルキャップの内面のねじ山部を、前記ボトル本体の開口部の外面のねじ山部に螺合させる際に、前記ボトルキャップの空回りを防止したことを特徴とする自然気化式加湿具。
【請求項２】
前記係合突部は、一対の壁面と、この一対の壁面を繋ぐ上板とからなり、前記壁面間に上記連通部が設けられていることを特徴とする請求項１に記載の自然気化式加湿具。
【請求項３】
前記係合突部は、前記ボトルキャップの開口縁から離間した位置で前記ボトルキャップ外面から突出して形成された舌片状突部であることを特徴とする請求項１に記載の自然気化式加湿具。
【請求項４】
前記係合突部は、前記ボトルキャップの開口縁からキャップ天面との間で前記ボトルキャップ外面から突出して形成された一対の壁面からなることを特徴とする請求項１に記載の自然気化式加湿具。
【発明の詳細な説明】
【技術分野】
【０００１】
この発明は、水の自然蒸発を利用した自然気化式加湿具に関するものである。
【背景技術】
【０００２】
従来から、室内の空気が過度に乾燥するのを防止し、適当な湿度を保つために様々な加湿器が利用されている。電力を使用せず、水の自然な蒸発作用を利用した自然気化式加湿具が知られている。
【０００３】
従来の自然気化式加湿具は、吸水性を有する加湿エレメントを用い、この加湿エレメントの一部（浸漬部）を水に浸漬させ、一部（露出部）を水の外へ露出させ、毛細管現象を利用して水を前記露出部から蒸発させるものである。
【０００４】
このような従来の自然気化式加湿具においては、加湿用の水を容器に入れて、それに加湿エレメントを浸すものであるが、容器に水が少量であると給水の頻度が多くなる。そこで、給水の頻度を少なくするために、多くの水を容器に入れ、加湿エレメントを浸すようにすると、加湿エレメントの水に浸される浸漬部が大きくなり、その分、水から外へと露出して吸い上げた水を蒸散する部分が小さくなる。このため、蒸散性能が十分に発揮できない。
【０００５】
そこで、特許文献１には、給水の頻度を増やすことなく、容器中に蓄える水の量を少なくした自然気化式加湿具が提案されている。
【０００６】
特許文献１に開示されている自然気化式加湿具について、図２２及び図２３を参照して説明する。図２２は、特許文献１に開示された自然気化式加湿具を示す分解斜視図、図２３は、加湿用の水が充填された状態を示す断面図である。
【０００７】
図２２に示すように、自然気化式加湿具１００は、貯水ケース１２０と、給水ボトル１３０、加湿エレメント１４０とを備える。貯水ケース１２０は、底板１２１の周囲に立ち上がり壁１２２を有し、上面が開口して加湿用の水を貯める貯水部１２３を備えている。
【０００８】
給水ボトル１３０は、貯水ケース１２０に対して着脱可能にあり、加湿用の水を入れた状態で貯水ケース１２０に取り付けられ、貯水ケース１２０の貯水部１２３に加湿用の水を供給する。
【０００９】
給水ボトル１３０は、ボトル本体１３１とボトル本体１３１の開口部１３２に被せられるボトルキャップ１３５とからなる。ボトル本体１３１の開口部１３２の外面にはねじ山部１３２ａが設けられ、ボトルキャップ１３５の内面には、ねじ山部１３５ａが設けられ、ボトル本体１３１の開口部１３２のねじ山部１３２ａとボトルキャップ１３５のねじ山部１３５ａは互いに螺合し、ボトル本体１３１にボトルキャップ１３５が取り付けられる。
【００１０】
加湿エレメント１４０は、吸水性を備えた不織布により形成されており、貯水ケース１２０の貯水部１２３に配置され、その下部から加湿用の水を吸い上げると共に、その水を蒸散させて加湿を行う。
【００１１】
貯水ケース１２０の底板１２１の上面に、ボトル本体１３１の開口部１３２を下に向けた状態で、ボトルキャップ１３５が嵌まってボトル本体１３１を起立状態で保持する保持筒１２４が設けられている。
【００１２】
この保持筒１２４には、上下方向にスリット１２４ａが設けられている。そして、ボトルキャップ１３５は、このスリット１２４ａに一致する部分を切り欠いて不連続としている。この切り欠いた部分１３７ａを囲むように、ボトルキャップ１３５の外面に保持筒１２４のスリット１２４ａに嵌まる略角柱形状の係合壁１３８が設けられている。係合壁１３８とボトルキャップ１３５の切欠部分１３７ａとの間には、ねじ山部１３５ａが設けられた内面１３６から連通する略角柱状の空間部１３７が形成されることになる。
【００１３】
ボトルキャップ１３５の係合壁１３８には、保持筒１２４のスリット１２４ａに対して連通する連通孔１３９が設けられている。
【００１４】
上記した各部材により構成される自然気化式加湿具１００について、その使用方法に従って説明する。
【００１５】
まず、ボトル本体１３１に加湿用の水Ｗを充填し、その開口部１３２のねじ山部１３２ａとボトルキャップ１３５のねじ山部１３５ａを合わせて、開口部１３２にボトルキャップ１３５をねじ込み、ボトル本体１３１にボトルキャップ１３５を取り付ける。
【００１６】
次に、給水ボトル１３０を逆さにし、ボトルキャップ１３５を貯水ケース１２０の保持筒１２４のスリット１２４ａと係合壁１３８を合わせて嵌め込む。
【００１７】
ボトル本体１３１内の水Ｗが開口部１３２からボトルキャップ１３５の空間部１３７経て連通孔１３９から貯水ケース１２０の貯水部１２３に流入する。そして、大気圧と水圧との均衡により、ボトル本体１３１からの水Ｗの流入が止まる。その後、貯水部１２３の水Ｗが蒸散して貯水部１２３の水位が下がると、大気圧と水位とのバランスにより給水ボトル１３０内から水Ｗが流入し、貯水部１２３の水位は維持される（図２３参照）。
【００１８】
加湿エレメント１４０は、貯水ケース１２０の貯水部１２３に配置され、自立させられる。この加湿エレメント１４０の下部が加湿用の水に浸され、そこから給水して上方に吸い上げられる。吸い上げられた水は、貯水部１２３の上方に露出している加湿エレメント１４０から蒸散される。加湿エレメント１４０から水が蒸散され、貯水部１２３内の水位が下がると、気圧と水位とのバランスによりボトル本体１３１内から水Ｗが流入し、貯水部１２３の水位は維持される。
【００１９】
このように構成することで、貯水ケース１２０の貯水部１２３に多量の水を蓄えておかなくても、継続的に給水されるので、給水頻度を減らすことができる。また、貯水部１２３の水量を減らすことができるので、貯水部１２３内に配された加湿エレメント１４０の水に浸されていない部分を大きくすることが可能となり、蒸散性能を向上させることができる。
【００２０】
ところで、上記したボトルキャップ１３５は、このスリット１２４ａに一致する部分を切り欠いた部分１３７ａを形成して、不連続としている。このため、ボトル本体１３１の開口部１３２にボトルキャップ１３５をねじ込みボトルキャップ１３５を締め付けると、切り欠いた部分１３７ａからボトルキャップ１３５が開き、ボトルキャップ１３５が空回りし、ボトルキャップ１３５の締め付けが完了したか否かが分かりにくい。
【００２１】
このボトルキャップ１３５の空回りにより、ユーザはボトルキャップ１３５の締め付け状態の判断ができない。このため、ボトルキャップ１３５の締め付けが十分行われない場合がある。ボトルキャップ１３５の締め付けが十分でないと、ボトル本体１３１とボトルキャップ１３５が完全に固定されずに、ボトルキャップ１３５を貯水ケース１２０の保持筒１２４に嵌め込んだ際に、給水ボトル１３０の重心が振れ、給水ボトル１３０と共に貯水ケース１２０が転倒したり、貯水ケース１２０から給水ボトル１３０が離脱してしまう虞があった。
【先行技術文献】
【特許文献】
【００２２】
【特許文献１】特許第６１５８５９９号公報
【発明の概要】
【発明が解決しようとする課題】
【００２３】
この発明の目的は、ボトルキャップの締め付けを確実に行うことができる自然気化式加湿具を提供することにある。
【課題を解決するための手段】
【００２４】
この発明は、底板の周囲に立ち上がり壁を有する上面が開口する貯水ケースと、前記貯水ケースに対して着脱可能に設けられる給水ボトルと、吸水性を有する加湿エレメントとを備え、前記給水ボトルは、ボトル本体とボトル本体の開口部に被せられるボトルキャップとからなり、ボトルキャップの内面とボトル本体の開口部の外面には互いに螺合するねじ山部が形成され、前記貯水ケースの底板の上面に、前記ボトル本体の開口部を下に向けた状態で、前記ボトルキャップが嵌まって前記ボトル本体を起立状態で保持する保持筒を設け、  この保持筒に上下方向にスリットを形成し、このスリットに嵌る係合突部を前記ボトルキャップの外面に設け、前記ボトルキャップに、前記保持筒のスリットに対して連通する連通部を設け、前記加湿エレメントの下部を前記貯水ケースに貯水された水に浸して、加湿エレメントによって吸い上げた水を加湿エレメントから蒸散させる自然気化式加湿具であって、前記ボトルキャップに周方向に連続する連続部を設け、この連続部により、前記ボトルキャップの内面のねじ山部を、前記ボトル本体の開口部の外面のねじ山部に螺合させる際に、前記ボトルキャップの空回りを防止したことを特徴とする。
【００２５】
また、前記係合突部は、一対の壁面と、この一対の壁面を繋ぐ上板とからなり、前記壁面間に上記連通部を設けて構成することができる。
【００２６】
また、前記係合突部は、前記ボトルキャップの開口縁から離間した位置で前記ボトルキャップ外面から突出して形成された舌片状突部で構成することができる。
【００２７】
また、前記係合突部は、前記ボトルキャップの開口縁からキャップ天面との間でボトルキャップ外面から突出して形成された一対の壁面で構成することができる。
【発明の効果】
【００２８】
この発明は、ボトルキャップに周方向に連続する連続部が設けられているので、ボトルキャップが締め付け力によって開くことがなくなり、ボトルキャップが空回りせずに、ボトル本体の開口部のねじ山部にボトルキャップのねじ山部を確実に締め付けることができる。
【図面の簡単な説明】
【００２９】
【図１】この発明の自然気化式加湿具の上面図である。
【図２】この発明の自然気化式加湿具の正面図である。
【図３】この発明の自然気化式加湿具の分解斜視図である。
【図４】この発明の自然気化式加湿具の分解斜視図である。
【図５】この発明の自然気化式加湿具の分解断面図である。
【図６】この発明の自然気化式加湿具の加湿用水が入れられた状態を示す断面図である。
【図７】この発明の自然気化式加湿具に用いられるボトルキャップの第１の実施形態を示す斜視図である。
【図８】この発明の自然気化式加湿具に用いられるボトルキャップの第１の実施形態を示す正面図である。
【図９】この発明の自然気化式加湿具に用いられるボトルキャップの第１の実施形態を示す上面図である。
【図１０】図９のＡ−Ａ線断面図である。
【図１１】この発明の自然気化式加湿具に用いられるボトルキャップの第１の実施形態を示す半断面斜視図である。
【図１２】この発明の自然気化式加湿具に用いられるボトルキャップの第２の実施形態を示す斜視図である。
【図１３】この発明の自然気化式加湿具に用いられるボトルキャップの第２の実施形態を示す正面図である。
【図１４】この発明の自然気化式加湿具に用いられるボトルキャップの第２の実施形態を示す上面図である。
【図１５】図１４のＢ−Ｂ線断面図である。
【図１６】この発明の自然気化式加湿具に用いられるボトルキャップの第２の実施形態を示す半断面斜視図である。
【図１７】この発明の自然気化式加湿具に用いられるボトルキャップの第３の実施形態を示す斜視図である。
【図１８】この発明の自然気化式加湿具に用いられるボトルキャップの第３の実施形態を示す正面図である。
【図１９】この発明の自然気化式加湿具に用いられるボトルキャップの第３の実施形態を示す上面図である。
【図２０】図１９のＣ−Ｃ線断面図である。
【図２１】この発明の自然気化式加湿具に用いられるボトルキャップの第３の実施形態を示す半断面斜視図である。
【図２２】特許文献１に開示された自然気化式加湿具を示す分解斜視図である。
【図２３】加湿用の水が充填された状態を示す断面図である。
【発明を実施するための形態】
【００３０】
この発明の実施の形態について図面を参照しながら詳細に説明する。なお、図中同一または相当部分には同一符号を付し、説明の重複を避けるためにその説明は繰返さない。
【００３１】
図１〜図６に示すように、自然気化式加湿具１は、貯水ケース２と、給水ボトル３、加湿エレメント４とを備える。
【００３２】
貯水ケース２は、小判型の底板２０の周囲に立ち上がり壁２２を有し、上面が開口して、加湿用の水を貯める貯水部２１が設けられている。
【００３３】
給水ボトル３は、貯水ケース２に対して着脱自在であり、加湿用の水を入れた状態で貯水ケース２に取り付けられ、貯水ケース２の貯水部２１に加湿用の水を供給する。
【００３４】
図３〜図６に示すように、ボトル本体３１の開口部３２の外面にはねじ山部３３が設けられ、ボトルキャップ５の内面には、ねじ山部５３が設けられ、ボトル本体３１の開口部３２のねじ山部３３とボトルキャップ５のねじ山部５３は互いに螺合し、ボトル本体３１にボトルキャップ５が取り付けられる。
【００３５】
加湿エレメント４は、吸水性を備えた不織布により形成されており、貯水ケース２の貯水部２１に配置され、その下部から加湿用の水を吸い上げると共に、水に浸されていない部分からその水を蒸散させて加湿を行う。尚、加湿エレメント４は、不織布に限らず、多孔質の陶器など加湿用の水を吸い上げるものを用いることができる。
【００３６】
図３〜図６に示すように、貯水ケース２の底板２０の上面に、ボトル本体３１の開口部３２を下に向けた状態で、ボトルキャップ５が嵌まってボトル本体３１を起立状態で保持する保持筒２３が設けられている。
【００３７】
この保持筒２３には、上下方向にスリット２３ｃが設けられている。この貯水ケース２は、ポリプロピレンなどの合成樹脂材料、金属、セラミックス材料等から適宜選択して作成できる。
【００３８】
ボトル本体３１の開口部３２にボトルキャップ５を取り付けた給水ボトル３は、開口部３２部分を下にして、ボトルキャップ５が貯水ケース２の保持筒２３に嵌め込まれることにより、貯水ケース２に取り付けられる。
【００３９】
後述するように、ボトルキャップ５には、保持筒２３のスリット２３ｃに嵌まる係合突部５２が設けられている。この係合突部５２と保持筒２３のスリット２３ｃの位置を合わせ、ボトルキャップ５を貯水ケース２の保持筒２３に嵌め込んで、給水ボトル３が貯水ケース２に取り付けられる。
【００４０】
加湿エレメント４は、上述の通り、吸水性を備えた不織布によって形成されたものである。この実施形態においては、図１〜図３に示すように、山や木々、動物などの形状が形成された複数のシート４１をフレーム４２に差し込んで自立可能に構成されている。この加湿エレメント４を貯水ケース２の底板２０の上に載置し、加湿エレメント４を貯水ケース２にセットする。尚、この加湿エレメント４は、ここに示した実施形態に限られるものではなく、任意のデザイン、自立可能な任意の形状に構成することができる。
【００４１】
この発明に用いられる第１の実施形態としてのボトルキャップ５を図７から図１１を参照して説明する。図７は、ボトルキャップ５を示す斜視図、図８は、ボトルキャップ５の正面図、図９は、ボトルキャップ５の上面図、図１０は、図９のＡ−Ａ線断面図、図１１は、ボトルキャップの半断面斜視図である。
【００４２】
ボトルキャップ５は、キャップ側面の内面５０にねじ山部５３が設けられている。そして、ボトルキャップ５の外面５１に保持筒２３のスリット２３ｃに係合する係合突部５２が形成されている。この第１の実施形態のボトルキャップ５の係合突部５２はボトルキャップ５の開口縁５ａからキャップ天面５７に向かって一対の壁面５２ａ、５２ａで構成されている。
【００４３】
そして、図７に示すように、一対の壁面５２ａ、５２ａを繋ぐ上板５２ｂが開口縁５ａから連接して設けられている。壁面５２ａ、５２ａ間には高さ方向に空隙５４が設けられている。
【００４４】
両壁面５２ａ、５２ａの間の距離ａは、保持筒２３のスリット２３ｃに嵌まり込む大きさに形成されている。
【００４５】
ボトルキャップ５は、開口縁５ａから離間した位置に保持筒２３のスリット２３ｃに対して連通する連通部５４ａが設けられている。この連通部５４ａは、一対の壁面５２ａ、５２ａの間に設けられている。
【００４６】
連通部５４ａの端部と開口縁５ａとの間は、ある程度の強度を有する厚さを有し、ボトルキャップ５に周方向に連続する連続部５０ｃが設けられている。この連続部５０ｃにより、ボトルキャップ５の内面のねじ山部５３を、ボトル本体３１の開口部３２の外面のねじ山部３３に螺合させる際に、ボトルキャップ５の空回りが防止される。この結果、ボトルキャップ５が空回りせずに締め付けることができる。
【００４７】
そして、ボトルキャップ５の連通部５４ａから空隙５４を経て、ボトル本体３１に充填された水Ｗが流れ出るように構成されている。また、給水ボトル３を逆さにした際に、ボトルキャップ５の空隙５４と連通部５４ａを介して空気がボトル本体３１内に取り込まれる。
【００４８】
上記したボトル本体３１及びボトルキャップ５は、任意の合成樹脂材料、金属等から適宜選択して係止すれば良いが、ボトル本体３１については透明又は半透明の材料で形成すれば、ボトル本体３１内の水量を目視で確認できるので、好ましい。
【００４９】
上記した各部材により構成される自然気化式加湿具１について、その使用方法に従って説明する。
【００５０】
まず、ボトル本体３１に加湿用の水Ｗを充填し、その開口部３２のねじ山部３３にボトルキャップ５のねじ山部５３を合わせて、開口部３２にボトルキャップ５をねじ込み、ボトル本体３１にボトルキャップ５を取り付ける。
【００５１】
この時、ボトルキャップ５は、周方向に連続する連続部５０ｃが設けられているので、力をかけてもボトルキャップ５の内面５０が拡がることはなく、ボトルキャップ５はしっかりと締まり、ユーザにボトルキャップ５の締め付けが確実に行われたことが分かる。このため、給水ボトル３を逆さまにした際に、誤ってボトルキャップ５が外れることもなくなる。
【００５２】
次に、給水ボトル３を逆さにし、ボトルキャップ５の係合突部５２を貯水ケース２の保持筒２３のスリット２３ｃに合わせ、給水ボトル３のボトルキャップ５を保持筒２３に嵌め込み、貯水ケース２に給水ボトル３を取り付ける。
【００５３】
図６に示すように、ボトル本体３１内の水Ｗが、開口部３２からボトルキャップ５の連通部５４ａ、空隙５４から保持筒２３のスリット２３ｃを経て貯水ケース２の貯水部２１に流入する。そして、大気圧と水圧との均衡により、ボトル本体３１からの水Ｗの流入が止まる。その後、貯水部２１の水Ｗが蒸散して貯水部２１の水位が下がると、大気圧と水位とのバランスにより、給水ボトル３内から連通部５４ａ、空隙５４を介して水Ｗが流入する。この時、連通部５４ａ、空隙５４から空気がボトル本体３１内に流入し、大気圧と水圧との均衡により、ボトル本体３１からの水Ｗの流入が止まる。このようにして、貯水部２１の水位は維持される。
【００５４】
図１及び図２に示すように、加湿エレメント４は、貯水ケース２の貯水部２１に配置され、自立させられる。この加湿エレメント４の下部が加湿用の水に浸され、そこから給水して上方に吸い上げられる。吸い上げられた水は、貯水部２１の上方に露出している加湿エレメント４から蒸散される。加湿エレメント４から水が蒸散され、貯水部２１内の水位が下がると、気圧と水位とのバランスによりボトル本体３１内から連通部５４ａ、空隙５４を介して水Ｗが流入し、貯水部２１の水位は維持される。
【００５５】
このように構成することで、貯水ケース２の貯水部２１に多量の水を蓄えておかなくても、ボトル本体３１の開口部３２に確実に締め付けられたボトルキャップ５からなる給水ボトル３から継続的に給水されるので、給水頻度を減らすことができる。また、貯水部２１の水量を減らすことができるので、貯水部２１内に配された加湿エレメント４の水に浸されていない部分を大きくすることが可能となり、蒸散性能を向上させることができる。
【００５６】
ところで、上記したボトルキャップ５の係合突部５２は、保持筒２３のスリット２３ｃに嵌まり込んで、給水ボトル３の差し込み方向を間違わないように設けたものである。このため、ボトルキャップ５の係合突部５２は、スリット２３ｃに嵌まり込めば良く、種々の形状で構成できる。ボトルキャップ５の他の実施形態につき図面を参照して説明する。
【００５７】
この発明に用いられる第２の実施形態としてのボトルキャップ５を図１２から図１６を参照して説明する。図１２は、第２の実施形態のボトルキャップ５を示す斜視図、図１３は、第２の実施形態のボトルキャップ５の正面図、図１４は、第２の実施形態のボトルキャップ５の上面図、図１５は、図１４のＢ−Ｂ線断面図、図７は、第２の実施形態のボトルキャップ５の半断面斜視図である。
【００５８】
この第２の実施形態のボトルキャップ５は、開口縁５ａからキャップ天面５７（先端部）に向かって、開口縁５ａから離間した位置で外面５１から外側に向かって係合突部５２としての舌片状突部５２ｃが形成されている。この舌片状突部５２ｃの幅は、保持筒２３のスリット２３ｃに嵌まり込む大きさに形成されている。
【００５９】
舌片状突部５３ａとキャップ天面５７との間には、保持筒２３のスリット２３ｃに対して連通する連通部５６が設けられている。従って、舌片状突部５３ａより開口縁５ａまでのキャップ側面が周方向に連続する連続部５０ｃとなる。
【００６０】
ボトルキャップ５は、連通部５６からボトル本体３１に充填された水Ｗが流れ出るように構成されている。また、連通部５６は、給水ボトル３を逆さにした際に、ボトルキャップ５から空気がボトル本体３１内に取り込まれる。
【００６１】
この第２の実施形態のボトルキャップ５は、舌片状突部５２ｃとキャップ天面５７との間に連通部５６が設けられているので、開口縁５ａから連通部５６の端部までの連続部５０ｃの距離を稼ぐことができる。このため、ボトルキャップ５の強度は、第１の実施形態よりも大きくできる。
【００６２】
この発明に用いられる第３の実施形態としてのボトルキャップ５を図１７から図２１を参照して説明する。図１７は、ボトルキャップ５を示す斜視図、図１８は、ボトルキャップ５の正面図、図１９は、ボトルキャップ５の上面図、図２０は、図１９のＣ−Ｃ線断面図、図２１は、ボトルキャップの半断面斜視図である。
【００６３】
この第３の実施形態のボトルキャップ５は、開口縁５ａからキャップ天面５７に至る中間の位置まで外面５１から外側に向かって一対の壁部５２ｄからなる係合突部５２が形成されている。一対の壁部５２ｄの距離は、保持筒２３のスリット２３ｃに嵌まり込む大きさに形成されている。
【００６４】
一対の壁部５２ｄの端部とキャップ天面５７との間に、連通部５６が設けられている。従って、一対の壁部５３ｃの開口縁側の端部から開口縁５ａまでが周方向に連続する連続部５０ｃとなる。
【００６５】
ボトルキャップ５は、連通部５６からボトル本体３１に充填された水Ｗが流れ出るように構成されている。また、連通部５６は、給水ボトル３を逆さにした際に、ボトルキャップ５から空気がボトル本体３１内に取り込まれる。
【００６６】
この第３の実施形態のボトルキャップ５は、壁部５２ｄの端部とキャップ天面５７との間に連通部５６が設けられているので、開口縁５ａから連通部５６の端部までの連続部５０ｃの距離を稼ぐことができる。このため、ボトルキャップ５の強度は、第１の実施形態よりも大きくできる。
【００６７】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００６８】
１        ：自然気化式加湿具
２        ：貯水ケース
３        ：給水ボトル
４        ：加湿エレメント
５        ：ボトルキャップ
５ａ      ：開口縁
２０      ：底板
２１      ：貯水部
２２      ：立ち上がり壁
２３      ：保持筒
２３ｃ    ：切欠部
３１      ：ボトル本体
３２      ：開口部
３３      ：ねじ山部
４１      ：シート
４２      ：フレーム
５０      ：内面
５０ｃ    ：連続部
５１      ：外面
５２      ：係合突部
５２ａ    ：壁面
５２ｂ    ：上板
５３      ：ねじ山部
５３ｃ    ：壁部
５４ａ、５６    ：連通部
Ｗ        ：水
【図１】
2019178799.tif 000003
【図２】
2019178799.tif 000004
【図３】
2019178799.tif 000005
【図４】
2019178799.tif 000006
【図５】
2019178799.tif 000007
【図６】
2019178799.tif 000008
【図７】
2019178799.tif 000009
【図８】
2019178799.tif 000010
【図９】
2019178799.tif 000011
【図１０】
2019178799.tif 000012
【図１１】
2019178799.tif 000013
【図１２】
2019178799.tif 000014
【図１３】
2019178799.tif 000015
【図１４】
2019178799.tif 000016
【図１５】
2019178799.tif 000017
【図１６】
2019178799.tif 000018
【図１７】
2019178799.tif 000019
【図１８】
2019178799.tif 000020
【図１９】
2019178799.tif 000021
【図２０】
2019178799.tif 000022
【図２１】
2019178799.tif 000023
【図２２】
2019178799.tif 000024
【図２３】
2019178799.tif 000025